【事件の表示】
　平成　９年特許願第１７７７９６号「デジタルカメラ」拒絶査定に対する審判事件［平成１１年　１月２２日出願公開、特開平１１−　１７９９１］について、次のとおり審決する。
【結　論】
　本件審判の請求は、成り立たない。
【理　由】
第１　【手続きの経緯、本願発明】
　本願は、平成９年６月１９日の出願であって、その請求項１に係る発明（以下「本願発明」という。）は、平成１１年８月３日付けおよび平成１２年１０月３１日付け手続補正書により補正された明細書及び図面の記載からみて、その特許請求の範囲の請求項１に記載された事項により特定される次のとおりのものである。
「【請求項１】　装置本体に対して着脱自在なメモリカードに、撮像素子で電気信号に変換された被写体像を記録可能なデジタルカメラにおいて、通常撮影時に右手で把持される把持部と、前記把持部に形成されていて、前記メモリカードが前記装置本体の背面部と平行な方向から挿入されるメモリカード収納室と、前記メモリカード収納室の内部に配置されていて、前記メモリカードを挿抜自在に保持するコネクタと、前記メモリカードがアクセス中であることを知らせるメモリカードＬＥＤと、前記メモリカード収納室の挿入開口部を覆うメモリカード用回動蓋と、前記把持部の側面に形成されていて、電池が前記装置本体の長手方向に挿入配置される電池収納部と、前記電池収納部の開口部を覆う電池用回動蓋と、前記把持部を有する前記装置本体の右側部に配置されていて、前記メモリカード用回動蓋と前記電池用回動蓋との回動動作を共有する蓋回動中心部と、撮影者から見て前記把持部の上面右端部に配置されたレリーズボタンと、前記レリーズボタン近傍の前記装置本体上面に配置されていて、撮影モード設定等を表示するモードＬＣＤと、撮影者から見て前記装置本体の背面側左端上部に配置されていて、撮影像の確認を行う光学ファインダ接眼部と、前記光学ファインダ接眼部下方の前記装置本体背面部に配置されていて、撮影後の画像の確認を行う画像ＬＣＤ表示部とを具備したことを特徴とするデジタルカメラ。」　　　
　　　　　　　　　　　
第２　【引用例】
　１　これに対して、原査定の拒絶の理由に引用された特開平２−２１０９７３号公報（以下「引用例１」という。）には、「電子カメラ」（発明の名称）に関し、図面と共に次の（１）ないし（５）のとおりの記載がある。
（１）「被写体像を電気信号に変換して記録媒体に記録する電子カメラであって、前記記録媒体を駆動する駆動手段、前記駆動手段に電力を供給するためのバッテリ、前記バッテリと前記駆動手段を被写体に向って横に装着したことを特徴とする電子カメラ。」（特許請求の範囲）
（２）「第１図に戻って４４は、第３図及び第４図にて説明した記録及び再生時のＮＴＳＣ信号を受けて、モニター４５に可視像を形成するための信号を発生するモニター信号発生回路である。２８，２９は、記録時及び再生時のモニターが共に可能ならしめるための連動スイッチで第１図の状態は記録時を示しこの場合は、画像信号処理回路９の出力のＮＴＳＣ信号が、モニター信号発生回路４４に入力されてモニター可能であると共に、画像記録媒体１２への記録も同時に行われる。・・・（中略）・・・第５図及び第６図はそれぞれ本発明に係るモニター及びモニター信号発生回路の詳細を示す図であり、本例では、液晶（以後ＬＣと略称する）マトリックス表示装置及び、同装置を駆動する信号発生回路の例を示す」（４頁左上欄１９行ないし同頁右上欄１８行）
（３）「第８図、第９図、第１０図は、以上の如き、本発明に係る電子写真装置を組込んだ電子写真カメラ（以後カメラと略称する）の実施形態例示図であり、第８図は、同カメラの前側斜視図、第９図は、裏面斜視図及び第１０図は、同カメラの内部構造を示す図である。第８図において、６１は通常の交換レンズであり、距離調整環、絞り等の通常の写真撮影に必要な調節部が設けられている。６２は、上記交換レンズ６１の後端と係合可能にカメラ本体６３に形成されている。４は第１図示の半透過鏡である。６３aは本体の一部に形成された、カメラ保持部で手で握り易い形状に形成されている。６４は本カメラの電源スイッチである。６４′は電源スイッチの回動軸と共軸関係に配されたレリーズスイッチである。６５は、例えば液晶のアナログ表示器で構成された、後に詳述するヘッドアクセスのために、画像記録媒体上に設けられた画像記録の再生モニターしたい部分を任意に番地指定するための、ヘッドアクセス指令装置であり、ボタン６６に押下し続けると後述する回路にて記録画像の番地が、例えば１から順次表示されるものであり、希望の記録画像の番地に至ったとき、ボタン６６の押下を解除すれば、その時の番地の画像記録部分にヘツド１１がアクセスされ、画像再生が行われ、モニターが可能となる。６７は第１図示のスイッチ２８，２９を同時に切換えるための録再切換ボタンである。ヘッドアクセス指令装置６５の再生時、すなわち録再切換ボタンが図示のＰＬＢの位置に設定されている場合の機能について前述の通りであるが、カメラが画像記録状態になっている場合、すなわち、録再切換ボタン６７が図示のＭＴＲ位置に設定されている場合は、表示はヘッドのある番地に対応した表示となって、枚数カウンタとして作用する。このときボタン ６６を押下しても、該表示は何の影響も受けない。６８は第５図で述べたＬＣマトリックス表示器であり、７３は該表示器６８の非使用時に汚損、機能的衝げきから保護するためのシャッターで、図では開放状態を示すものである。６９は光学ファインダアイピースであり、これば省電力のため又は、何らかの理由で、ＬＣマトリックス表示器が利用しにくい場合に用いることが可能で、同ファインダーの構成は公知的であり、第１図示の例に徴して言えば、半透過鏡４で反射する光束の光路中に、通常の１眼レフレックスカメラのファインダ構造として配設することが可能であり、この場合、光電変換素子５は、第１０図に示す如く通常のペンタダハプリズムの一面に補助プリズムを設けて配設することができる。」（５頁右下欄２０行ないし６頁左下欄９行）
（４）「７０は本体６３の一部に固設したヒンジ７１の回りに開閉可能な前記の画像記録媒体を有するカートリッジを収納するカートリッジ室の開閉蓋であり、７０aは同蓋のロック部材、７０ｂは、たとえば透明プラスチックスで形成されたカートリッジ室ののぞき窓であり、カートリッジの有無の確認のために有用なものである。７２はストロボ装置のシューであり、カメラとの信号授受のための電気接点７２aが設けられている。なお第８図示の９６は固体撮像素子が像電荷積分の状態にあることを告知するブザー等の告知手段であり、これにより、撮影者に手ブレ等を警告することも可能となりカメラ操作上極めて便利である。第１０図は、上記のカメラの断面図であり、カートリッジ室７６にカートリッジ押えバネ７４が設けてあり、閉止状態では、同バネ７４がカートリッジ７５を正規位置に規制する作用を為すものである。カートリッジ７５中には既に述べたビデオディスク等の画像記録媒体１２が有り、図示状態においては、磁気ヘッド１１と接触状態にある。」（６頁左下欄９行ないし同頁右下欄８行）
（５）「以上述べた如くにして、画像記録を行うためにレリーズ釦６４′を押下すれば、ヘッドが順次アクセスされると共に、表示器６５に、記録枚数が表示される。」（８頁左上欄１１行ないし１４行）
　２　また、同じく引用された特開平６−２２２４２３号公報（以下「引用例２」という。）には、「スチルビデオカメラ」（発明の名称）に関し、図面と共に次の（１）ないし（４）のとおりの記載がある。
（１）「【請求項１】　電池を電源とし着脱式のメモリユニットに記録を行うスチルビデオカメラにおいて、前記電池と前記電池の電気接続を行う電池接片との接触が中途半端な不安定状態にあっては前記メモリユニットの着脱を不可能に構成したことを特徴とするスチルビデオカメラ。
【請求項２】　前記電池と前記メモリユニットとは同方向に装脱可能とし、前記装脱方向と同一面上にあって直交する軸を回動軸とした電池蓋を設け、前記メモリユニットは前記電池よりも前記回動軸側に配設し、前記電池蓋には前記電池接片と前記メモリユニットの装脱用の開口部とを設け、前記電池蓋の開閉途中位置にあっては前記メモリユニットの装脱を不可としたことを特徴とする請求項１のスチルビデオカメラ。」（特許請求の範囲の請求項１および請求項２）
（２）「【０００８】
【実施例】本発明の実施例の説明に先立って、ディジタルスチルビデオカメラの概要を図１に示すブロック回路図によって説明する。被写体の光画像は、レンズ、絞りなどから構成される撮像光学系Ｌを介して、固体撮像素子（ＣＣＤ）Ｄ上に結像される。固体撮像素子Ｄ上に結像された画像情報は、固体撮像素子Ｄの駆動回路101によって固体撮像素子Ｄより画像信号として読み出される。画像信号は信号処理回路102によりＡ/Ｄ変換され所定の処理がなされ、メモリ回路103を介してＩＣのカード状のメモリユニットＣにデータの記録がなされる。またメモリユニットＣに記録されたデータはメモリ回路103を介して信号処理回路102に送られ、Ｄ／Ａ変換され所定の処理を受けて、ビデオ信号として送り出される。」（３頁左欄７行ないし同欄２０行）
（３）「【００１１】図２において１は被写体情報をＣＣＤ等の光電変換素子Ｄ上に結像させる撮影レンズ、２は被写体を目視するファインダ、３はレリーズスイッチ、Ｃは光電変換素子Ｄからの情報を信号処理の後、記録する着脱可能としたメモリユニット（カード）、Ｅは信号処理用の回路を駆動させたりする電池で、メモリユニットＣと同方向に着脱可能とし、この実施例では３本のリチウム電池が用いられる。４はカメラモードの表示等がなされる液晶表示板で、５はビデオ出力ジャックである。
【００１２】また図３において10はカメラ本体の前面キャビネット、11は背面キャビネット、12は背面キャビネット11に設けられ、電池Ｅの装脱方向と同一面上にあって直交する軸と回動軸とする電池蓋である。13は電池蓋12に設けられたメモリユニットＣの装脱用の開口部で、14は電池蓋12の内壁に取付けられたプラス側の電池接片である。15はカメラ本体側に設けたマイナス側の電池接片、16はカメラ前面隅部に位置したストロボ発光部、17はストロボ用の回路基板、18はＤＣ-ＤＣコンバータ、19は回路基板、20はファインダ及び撮影レンズ１用のレンズ支持部、21はカメラ底面に位置した三脚取付用の三脚座、22はレリーズスイッチ３、液晶表示部４等が取付られる表示板、23は電池Ｅのセットされた状態や電池Ｅが完全に外れた状態を電気的に検知する電池センサである。
【００１３】次にかかるカメラの動作を説明する。電池蓋12を背面キャビネット11に対して回動させて電池Ｅを挿入可能な状態とし、電池Ｅを挿入し、電池蓋12を回動して背面キャビネット11にセットする事で電池接片14，15と電池Ｅが接触し且つ、電池センサ23が電池Ｅの接触状態を検知し、図示しないが所定の電池容量である事を判別してメモリカードＣの装脱が可能になる。」（３頁左欄３３行ないし同頁右欄１３行）
（４）「【００１６】図５は図２〜図４に示した電池蓋12の開閉状態とその状態におけるメモリカードＣの装脱の可否を示す説明図である。図５（ａ）は電池蓋12を閉蓋した状態を示している。この状態にあってはメモリカードＣの両端部は図４に示すように電池蓋12の上下の端部に設けた切欠部分に露出しているのでメモリカードＣは容易に取り出すこともでき、また逆に装着することもできる。図５（ｂ）は電池蓋12が回動軸12ａを中心として開閉の途中位置あるいは不完全な閉蓋位置にある状態を示したもので、この位置にあっては電池Ｅと電池接片14，15との接触は不安定で、メモリカードＣの着脱方向は開口部13と合致していない上、前記の切欠部分にメモリカードＣの端部は露出していないので、メモリカードＣは装脱することはできない。図５（ｃ）は電池蓋12が完全に開蓋した状態を示している。この位置にあっては電池Ｅの接続は完全に断たれた状態にあり、電池Ｅは勿論メモリカードＣも自由に装脱することができる。」（３頁右欄３３行ないし同欄４９行）
　３　さらに、同じく引用された実願昭６０−１４２７５８号（実開昭６２−５１３２８号公報）のマイクロフィルム（以下「引用例３」という。）には、「電池室を備えたカメラ」（考案の名称）に関し、図面と共に次のとおりの記載がある。
　「（１）開閉自在なフィルム装填用の裏蓋を備えたカメラボディの一部に、カメラ駆動用の電源電池を交換可能に収納するための電池室を備えたカメラにおいて、
　前記電源電池を収納する電池収納室を、少なくともその一部がカメラボディの背面に隣接する面内に開口するように形成するとともに、カメラボディの背面に裏蓋を開閉自在に支持するための旋回軸を前記開口に沿うように配置し、前記電池収納室を覆う電池室蓋を、この旋回軸を介して開閉自在に軸着したことを特徴とする電池室を備えたカメラ。
（２）前記旋回軸はカメラボディ背面に隣接するカメラボディの側面内に設けられていることを特徴とする実用新案登録請求の範囲第１項記載の電池室を備えたカメラ。」（実用新案登録請求の範囲）
　　　　　
第３　【当審の判断】
　１　［対比］
　本願発明と引用例１に記載の発明とを対比すると、次の（１）ないし（４）のことが認められる。
（１）引用例１に記載の「固体撮像素子２」、「カメラ保持部６３ａ」、「ヒンジ７１」、「レリーズスイッチ６４′」および「光学ファインダアイピース６９」は、それぞれ本願発明の「撮像素子」、「把持部」、「蓋回動中心部」、「レリーズボタン」および「光学ファインダ接眼部」に相当することは明らかである。
（２）引用例１には、被写体像を電気信号に変換して記録媒体に記録する電子カメラであって、前記記録媒体を駆動する駆動手段、前記駆動手段に電力を供給するためのバッテリ、前記バッテリと前記駆動手段を被写体に向って横に装着したことを特徴とする電子カメラが記載されており（引用例１の上記（１）の記載参照）、また本体６３の一部に固設したヒンジ７１の回りに開閉可能な画像記録媒体を有するカートリッジを収納するカートリッジ室の開閉蓋７０が記載されており、そのカートリッジ７５中にはビデオディスク等の画像記録媒体１２を有することが記載されている（引用例１の上記（４）の記載参照）。そしてそのカートリッジ室７６は、カメラ保持部６３ａに形成されていて、カートリッジ７５がカメラ本体６３の背面部から挿入されることも第８図ないし第１０図に示されているといえる。してみると引用例１に記載の発明も、記録媒体が、メモリカードであるか否かはともかくとして、本願発明でいう「装置本体に対して着脱自在な記録媒体に、撮像素子で電気信号に変換された被写体像を記録可能なカメラにおいて」、「通常撮影時に右手で把持される把持部と、前記把持部に形成されていて、前記記録媒体が前記装置本体の背面部から挿入される記録媒体収納室と前記記録媒体収納室の挿入開口部を覆う記録媒体用回動蓋」を備えるものといえ、また「電池が記装置本体に挿入配置される電池収納部」をも当然に備えるものといえる。
（３）引用例１には、液晶のアナログ表示器６５に記録枚数を表示することが記載されており（引用例１の上記（３）、（５）の記載参照）、また第８図、第９図には、そのアナログ表示器６５が、レリーズスイッチ６４′の近傍のカメラ本体６３の上面に配置されることも示されており、引用例１に記載の発明も、本願発明でいう「前記レリーズボタン近傍の前記装置本体上面に配置されていて、撮影モード設定等（記録枚数）を表示するモードＬＣＤ」を有するものといえる。
（４）引用例１には、ＬＣマトリックス表示器６８で記録時および再生時のモニターを可能にすることが記載されており（引用例１の上記（２）、（３）の記載参照）、また第８図、第９図には、そのＬＣマトリックス表示器６８が、光学ファインダアイピース６９下方のカメラ本体６３背面部に配置されていることも示されており、引用例１に記載の発明も、本願発明でいう「前記光学ファインダ接眼部下方の前記装置本体背面部に配置されていて、撮影後の画像の確認を行う画像ＬＣＤ表示部」を有するものといえる。
　２　［一致点］・［相違点］
　以上の点（１）ないし（４）を踏まえると、両発明は、
「装置本体に対して着脱自在な記録媒体に、撮像素子で電気信号に変換された被写体像を記録可能なカメラにおいて、通常撮影時に右手で把持される把持部と、前記把持部に形成されていて、前記記録媒体が前記装置本体の背面部から挿入される記録媒体収納室と、前記記録媒体収納室の挿入開口部を覆う記録媒体用回動蓋と、電池が前記装置本体に挿入配置される電池収納部と、前記把持部を有する前記装置本体の右側部に配置されていて、前記記録媒体用回動蓋を回動動作する蓋回動中心部と、撮影者から見て前記把持部の上面右端部に配置されたレリーズボタンと、前記レリーズボタン近傍の前記装置本体上面に配置されていて、撮影モード設定等を表示するモードＬＣＤと、撮影者から見て前記装置本体の背面側左端上部に配置されていて、撮影像の確認を行う光学ファインダ接眼部と、前記光学ファインダ接眼部下方の前記装置本体背面部に配置されていて、撮影後の画像の確認を行う画像ＬＣＤ表示部とを具備したことを特徴とするカメラ。」である点で一致し、次の点で相違する。
　相違点１
　本願発明は、記録媒体として「メモリカード」を用いた「デジタル」カメラ」であるのに対して、引用例１に記載の発明は、記録媒体としてビデオディスクを用いた電子カメラである点。
　相違点２
　記録媒体収納室に、本願発明では、メモリカードが装置本体の背面部と「平行な方向」から挿入されるのに対して、引用例１には、そのことが記載されていない点。
　相違点３
　本願発明は、「前記メモリカード収納室の内部に配置されていて、前記メモリカードを挿抜自在に保持するコネクタ」を有しているのに対して、引用例１には、そのことが記載されていない点。
　相違点４
  本願発明は、「前記メモリカードがアクセス中であることを知らせるメモリカードＬＥＤ」を有しているのに対して、引用例１には、そのことが記載されていない点。
　相違点５
　電池収納部が、本願発明では、「前記把持部の側面に形成されていて」、電池が前記装置本体の「長手方向に」挿入配置されるものであるのに対して、引用例１には、そのことが記載されていない点。
　相違点６
　本願発明は、「前記電池収納部の開口部を覆う電池用回動蓋」を有しているのに対して、引用例１には、そのことが記載されていない点。
　相違点７
　蓋回動中心部が、本願発明では、前記メモリカード用回動蓋と「前記電池用回動蓋」との回動動作を「共有」しているのに対して、引用例１では、記録媒体の開閉蓋のみを回動動作している点。
　相違点８
　光学ファインダ接眼部が、本願発明では、前記装置本体の背面側「左端」上部に配置されているのに対して、引用例１では、カメラ本体の背面側左端上部の録再切換ボタン６７に隣接して配置されている点。　　
　３　［相違点の検討］
　（１）相違点１について
　引用例２には、記録媒体としてメモリカードを採用したデジタルカメラが記載されており（引用例２の上記（１）ないし（３）の記載参照）、引用例１に記載の発明における記録媒体として、「メモリカード」を採用して、「デジタル」カメラを構成する程度のことは当業者が適宜になし得ることといえる。
　（２）相違点２について
　引用例２には、メモリカードをカメラ本体の背面部と平行な方向から挿脱することが記載されており（引用例の上記（３）、（４）の記載、第４図、第５図参照）、引用例１に記載の記録媒体収納室に、本願発明のように、メモリカードが装置本体の背面部と「平行な方向」から挿入されるようになす程度のことは当業者が適宜になし得ることといえる。 
　（３）相違点３について
　上記相違点１の検討でも述べたように、本願発明が、記録媒体としてメモリカードを採用したことに伴い、その記録媒体収納室（メモリカード収納室）の内部に、メモリカードとの接続を図るため、そのメモリカードを挿抜自在に保持するコネクタを設けること、すなわち本願発明のように「前記メモリカード収納室の内部に配置されていて、前記メモリカードを挿抜自在に保持するコネクタ」を設ける程度のことは当業者が当然考慮すべき設計的事項にすぎない。
　（４）相違点４について
　外部記憶装置としてメモリカードを採用した各種電子機器において、そのメモリカードがアクセス中であることをＬＥＤで表示し、書き込みや読み出し中に誤ってメモリカードが抜去されるのを防ぐことは周知であり（必要ならば、実願平１−１１８７５２号（実開平３−５７８００号公報）のマイクロフィルム参照。）、上記相違点１の検討でも述べたように、本願発明が、記録媒体としてメモリカードを採用したことに伴い、「前記メモリカードがアクセス中であることを知らせるメモリカードＬＥＤ」を設ける程度のことは当業者が適宜になし得ることといえる。
　（５）相違点５について
　引用例２の上記（３）、（４）の記載および図２、図３、図５、図６には、電池収納部をカメラ本体把持部の側面に形成し、そのカメラ本体の長手方向に電池を挿入配置することが示されており、引用例１に記載の発明における電池収納部が、本願発明のように「前記把持部の側面に形成されていて」、電池が前記装置本体の「長手方向に」挿入配置されるようになす程度のことは当業者が必要に応じて適宜になし得ることといえる。
　（６）相違点６について
　デジタルカメラにおいて、電池収納部の開口部を覆う電池回動蓋を設けることは、引用例２にも示されているように極く普通のことであり、引用例１に記載の発明において、電池収納部の開口部を覆う回動蓋を設けること、すなわち本願発明のように「前記電池収納部の開口部を覆う電池用回動蓋」を設ける程度のことは当業者が自然になし得ることといえる。
　（７）相違点７について
　カメラにおいて、記録媒体（フィルム）用回動蓋と電池用回動蓋との回動動作を共有する蓋回動中心部を設けることは引用例３にも示されているように周知の事項であり（さらに必要ならば、原審の拒絶理由で示した特開平６−２１４２９３号公報、同じく示した実願昭６０−１９１２２４号（実開昭６２−９９０４１号）のマイクロフィルム参照）、また上記相違点５、６の検討でも述べたように、本願発明が、電池収納部をカメラ本体把持部の側面に形成し、その電池収納部の開口部を覆う電池用回動蓋を設けることに伴って、記録媒体（メモリカード）用回動蓋と電池用回動蓋とが共に、把持部を有するカメラ本体の右側部に併置されたものとなることは明らかであり、そのような併置される電池用回動蓋の回動動作を、引用例１に記載された発明における記録媒体用開閉蓋のヒンジ（蓋回動中心部）によって共用する程度のこと、すなわち蓋回動中心部が、本願発明のように、前記メモリカード用回動蓋と「前記電池用回動蓋」との回動動作を「共有」するようになす程度のことは当業者が必要に応じて適宜になし得ることといえる。
　（８）相違点８について
　引用例１に記載の光学ファインダアイピース６９を、本願発明のように、カメラ本体の背面側「左端」上部に配置する程度のことは他の機能部材（録再切換ボタン等）との配置関係を考慮して適宜に決め得る設計的事項にすぎない。
　　　
　そして、本願発明の構成に基づく効果についてみても予測し得る範囲内のもので格別顕著なものがあるとはいえない。
　　　　　　　　
第４　【むすび】　
　したがって、本願発明は、引用例１ないし３に記載の発明及び周知事項に基づいて当業者が容易に発明をすることができたものであるから、特許法第２９条第２項の規定により特許を受けることができない。
　よって、結論のとおり審決する。